Podtech/llm-jp-corpus-v4-ja_patent huggingface dataset:
【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
遊技領域を流下する遊技球を受け入れ可能な第１受入口と、
前記第１受入口への遊技球の受け入れに基づいて第１抽選情報を抽出しうる第１抽選情報抽出手段と、
前記第１抽選情報抽出手段によって抽出された第１抽選情報を第１の上限値まで記憶する第１抽選情報記憶手段と、
前記第１抽選情報記憶手段によって記憶される前記第１抽選情報について、第１の当たりおよび第２の当たりを当選種別とする抽選処理を行う抽選手段と、
前記抽選処理の結果が前記第１の当たりまたは前記第２の当たりであるときに、遊技者に多量の賞球が付与される大賞当たり遊技を実行する当たり遊技実行手段と、
遊技状態を制御する遊技状態制御手段と、
前記第１受入口への遊技球の受け入れが促進される促進機能を作動させる促進機能作動手段と、
を備える遊技機であって、
前記遊技状態制御手段は、
前記抽選処理の結果が前記第１の当たりであるときは、前記大賞当たり遊技が実行されたのちの遊技状態を、当選確率が相対的に高い第１の確率に基づいて前記抽選処理が行われると共に前記抽選手段による抽選処理にて当選するまで前記促進機能が作動する高確遊技状態に制御し、
前記抽選処理の結果が前記第２の当たりであるときは、前記大賞当たり遊技が実行されたのちの遊技状態を、前記第１の確率よりも当選確率が低い第２の確率に基づいて前記抽選処理が行われると共に所定条件が成立するまで前記促進機能が作動する第１特定低確率状態に制御し、
前記第１特定低確率状態にて前記所定条件が成立したときは、当該所定条件が成立したのちの遊技状態を、前記促進機能が作動することなく前記第２の確率に基づいて前記抽選処理が行われる通常低確率状態に制御するものであり、
前記遊技機は、さらに、
前記第１受入口よりも上方に配置され、遊技領域を流下する遊技球を、常には流下態様変化手段によって１球ずつ受け入れ可能な第２受入口と、
前記第２受入口への遊技球の受け入れに基づいて第２抽選情報を抽出しうる第２抽選情報抽出手段と、
を備えると共に、
前記促進機能が作動しているときは前記第１受入口への遊技球の受け入れ頻度が前記第２受入口よりも相対的に高い一方、前記促進機能が作動していないときは前記第１受入口への遊技球の受け入れ頻度が前記第２受入口よりも相対的に低く、
前記抽選手段は、
前記第２抽選情報抽出手段によって前記第２抽選情報が抽出された場合には、前記第１抽選情報記憶手段によって第１抽選情報が記憶されていない場合にのみ、当該抽出された第２抽選情報について、前記第１抽選情報についての抽選処理の結果としての前記第２の当たりに代えて第３の当たりを当選種別とする抽選処理を行い、
前記通常低確率状態に制御されているときの当該第２抽選情報についての抽選処理の結果が前記第３の当たりであるときは、当該抽選処理の結果が当たりであるにもかかわらず遊技者に付与される賞球が皆無または賞球が付与されるとしても微量の小賞当たり遊技が前記当たり遊技実行手段によって遊技者に了知され難い態様で実行されると共に、当該小賞当たり遊技が実行されたのちの遊技状態が当該通常低確率状態に制御され、
前記第１受入口への遊技球の受け入れ頻度が前記第２受入口よりも相対的に高い前記高確遊技状態に制御されているとき、前記第２抽選情報についての抽選処理は前記第１抽選情報記憶手段によって第１抽選情報が記憶されていない場合にのみ行われるにもかかわらず前記第２抽選情報についての抽選処理が行われ、当該抽選処理の結果が前記第３の当たりであるときは、
前記小賞当たり遊技が実行されると共に、当該小賞当たり遊技が実行されたのちの遊技状態が、前記第２の確率に基づいて前記抽選処理が行われると共に前記第１特定低確率状態に制御される場合よりも遊技者に有利な態様で前記促進機能が作動する第２特定低確率状態に制御される
ことを特徴とする遊技機。
【請求項２】
前記抽選処理の結果が当たりであったときに、遊技球の入賞が許容されうる可変入賞口と、
少なくとも前記可変入賞口への遊技球の入賞に基づいて所定量の賞球を遊技者に付与する賞球付与手段と、
をさらに備え、
前記当たり遊技実行手段は、
前記抽選処理の結果が前記第１の当たりまたは前記第２の当たりであるときは、多量の遊技球を受け入れ可能な態様で前記可変入賞口への遊技球の受け入れを許容することで前記大賞当たり遊技を実行すると共に、
前記抽選処理の結果が前記第３の当たりであるときは、辛うじて１球または２球の遊技球が受け入れ可能な態様で前記可変入賞口への遊技球の受け入れを許容することで前記小賞当たり遊技を実行する
請求項１に記載の遊技機。
【請求項３】
変動開始条件の成立により複数の図柄列が変動表示される図柄表示手段と、
前記複数の図柄列を変動させると共に当該複数の図柄列を停止させて、当該複数の図柄列の停止図柄の組み合わせによって前記抽選処理の結果が表示されるように制御する図柄表示制御手段と、をさらに備え、
前記通常低確率状態に制御されているときの前記抽選処理の結果が前記第３の当たりであるとき、
前記図柄表示制御手段は、
前記抽選処理の結果がハズレであるときに表示される態様と極似する態様が前記図柄表示手段に表示されるように制御する
請求項１または請求項２に記載の遊技機。
【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
変動開始条件の成立により複数の図柄列が変動表示される表示手段と、
遊技領域を流下する遊技球を受け入れ可能な第１受入口および第２受入口と、
前記第１受入口への遊技球の受け入れに基づいて第１始動情報を抽出しうる第１始動情報抽出手段、および、前記第２受入口への遊技球の受け入れに基づいて第２始動情報を抽出しうる第２始動情報抽出手段と、
前記第１始動情報抽出手段によって抽出された前記第１始動情報を第１の上限値まで記憶する第１始動情報記憶手段、および、前記第２始動情報抽出手段によって抽出された前記第２始動情報を第２の上限値まで記憶する第２始動情報記憶手段と、
前記変動開始条件が成立したときに、前記第１始動情報記憶手段に記憶された前記第１始動情報または前記第２始動情報記憶手段に記憶された前記第２始動情報についての抽選処理を、前記各始動情報記憶手段に記憶された順に一つずつ行う抽選手段と、
前記抽選処理において当選したときに、遊技者に賞球を付与しうる当たり遊技を実行する当たり遊技実行手段と、
前記抽選処理において何れかの当選種別に当選する確率が相対的に低い低確率状態、または、前記抽選処理において何れかの当選種別に当選する確率が相対的に高い高確率状態に制御する遊技状態制御手段と、
前記表示手段に表示される前記複数の図柄列を変動させたのちに停止させて、当該複数の図柄列の停止態様によって前記抽選処理の結果を導出する表示制御手段と、
を備えた遊技機であって、
前記抽選手段は、
前記第１始動情報についての抽選処理を行うに際しては、遊技者に付与される特典が相対的に小さい小賞当たりと、当該小賞当たりよりも遊技者に付与される特典が相対的に大きい大賞当たりと、を当選種別とする抽選処理を行うとともに、
前記第２始動情報についての抽選処理を行うに際しては、前記大賞当たりのみならず、前記小賞当たりに代わる代替大賞当たりを当選種別とする抽選処理を行い、
前記当たり遊技実行手段は、前記抽選処理の結果が前記大賞当たりおよび前記代替大賞当たりであるときは、遊技者に多量の賞球が付与される大賞当たり遊技を実行するとともに、前記抽選処理の結果が前記小賞当たりであるときは遊技者に付与される賞球が皆無または微量の小賞当たり遊技を実行し、
前記遊技状態制御手段は、
前記抽選処理の結果が前記大賞当たりであるときは、前記大賞当たり遊技が実行されたのちの遊技状態を前記高確率状態に制御し、
前記抽選処理の結果が前記小賞当たりであるときは、前記小賞当たり遊技が実行されたのちの遊技状態を前記低確率状態に制御し、
前記抽選処理の結果が前記代替大賞当たりであるときは、前記大賞当たり遊技が実行されたのちの遊技状態を前記低確率状態に制御するものであり、
前記遊技機は、さらに、
前記複数の図柄列とは別に、少なくとも当該複数の図柄列の停止態様のみでは把握できない不利益が発生しうる場合に、遊技者に対して所定の警告を実行可能な警告実行手段、を備えるとともに、
前記抽選手段は、前記第２始動情報記憶手段によって前記第２始動情報が記憶されていない場合にのみ、前記第１始動情報についての抽選処理を実行する一方、前記第２始動情報記憶手段によって前記第２始動情報が記憶されている限りにおいては、当該第２始動情報が前記第１始動情報よりも先に記憶されたか否かにかかわらず、常に当該第２始動情報についての抽選処理を実行するものであって、
前記高確率状態に制御されているとき、
前記第１始動情報についての抽選処理にて前記小賞当たりに当選すると、多量の賞球が付与されることがなく、前記小賞当たり遊技が実行されたのちの遊技状態が前記低確率状態に制御されるとともに、
前記抽選手段が前記第２始動情報についての抽選処理を前記第１始動情報についての抽選処理よりも優先して実行することで、前記第１始動情報についての抽選処理の実行頻度を抑制するのみならず、
前記第１始動情報についての抽選処理が導出される場合には、少なくとも当該抽選処理の結果が前記大賞当たりおよび前記小賞当たりのいずれであるかに拘らず、前記警告実行手段が前記複数の図柄列の変動表示に際して前記小賞当たりに当選しうることを警告する
ことを特徴とする遊技機。
【請求項２】
前記表示制御手段は、
前記複数の図柄列の変動表示に際して、前記抽選処理において当選している期待度が相対的に高いことを示す演出態様である高期待演出を実行する高期待演出実行手段、および、
前記複数の図柄列の変動表示に際して、前記抽選処理において当選している期待度が相対的に低いことを示す演出態様である低期待演出を実行する低期待演出実行手段、を有しており、
遊技状態が前記高確率状態に制御されている場合、
前記高期待演出実行手段は、前記抽選処理の結果がいずれかの当選種別への当選または前記高期待演出を伴うハズレであるときに、前記高期待演出を実行するとともに、
前記低期待演出実行手段は、前記抽選処理の結果が前記低期待演出を伴うハズレであるときに、前記低期待演出を実行するものであって、
前記警告実行手段は、前記第１始動情報についての抽選処理の結果に基づいて前記高期待演出が実行されているときに、前記小賞当たりに当選しうることを警告する
請求項１に記載の遊技機。
【請求項３】
前記表示制御手段は、
遊技状態が前記高確率状態に制御され、且つ、前記第２始動情報についての抽選処理の結果が前記低期待演出を伴うハズレであるとき、
前記第２始動情報記憶手段に記憶されている前記第２始動情報の数が当該抽選処理の結果にかかる第２始動情報を含めて前記第２の上限値である場合には、前記複数の図柄列の変動表示が所定時間にわたって行われる通常変動を表示するとともに、
前記第２始動情報記憶手段に記憶されている前記第２始動情報の数が当該抽選処理の結果にかかる第２始動情報のみである場合には、前記複数の図柄列の変動表示が前記所定時間よりも長い時間にわたって行われる長時変動を表示する一方、
遊技状態が前記高確率状態に制御され、且つ、前記第１始動情報についての抽選処理の結果が前記低期待演出を伴うハズレであるとき、
前記第１始動情報記憶手段に記憶されている前記第１始動情報の数にかかわらず、前記複数の図柄列の変動表示が前記所定時間よりも長い一定の時間にわたって行われる長時変動を表示する
請求項２に記載の遊技機。
【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
変動開始条件の成立により複数の図柄列が変動表示される表示手段と、
遊技領域を流下する遊技球を、常には流下態様変化手段によって１球ずつ受け入れ可能な第１受入口と、
前記第１受入口への遊技球の受け入れに基づいて第１始動情報を抽出する第１始動情報抽出手段と、
前記変動開始条件が成立したときに、前記第１始動情報抽出手段によって抽出された第１始動情報について、遊技者に付与される特典が相対的に小さい小賞当たりと、当該小賞当たりよりも遊技者に付与される特典が相対的に大きい大賞当たりと、を当選種別とする抽選処理を行う抽選手段と、
前記表示手段に表示される前記複数の図柄列を変動させたのちに停止させて、当該複数の図柄列の停止態様によって前記抽選処理の結果を導出する表示制御手段と、
前記抽選処理の結果が前記大賞当たりであるときは、遊技者に多量の賞球が付与される大賞当たり遊技を実行するとともに、前記抽選処理の結果が前記小賞当たりであるときは遊技者に付与される賞球が皆無または微量の小賞当たり遊技を実行する当たり遊技実行手段と、
前記当たり遊技実行手段による当たり遊技の終了後の遊技状態を、前記抽選処理において何れかの当選種別に当選する確率が相対的に低い低確率状態、または、前記抽選処理において何れかの当選種別に当選する確率が相対的に高い高確率状態に制御する遊技状態制御手段と、
を備える遊技機であって、
前記第１受入口の下方に配置され、前記遊技領域を流下する遊技球を受け入れ可能な第２受入口と、
前記第２受入口への遊技球の受け入れに基づいて第２始動情報を抽出する第２始動情報抽出手段と、
を備えるとともに、
前記抽選手段は、前記第２始動情報抽出手段によって前記第２始動情報が抽出された場合には、当該抽出された第２始動情報について、前記大賞当たりのみならず、前記小賞当たりに代わる代替大賞当たりを当選種別とする抽選処理を行い、
前記当たり遊技実行手段は、当該第２始動情報についての抽選処理において当選すると、当選種別が前記大賞当たりおよび前記代替大賞当たりのいずれであるかに拘らず、前記大賞当たり遊技を実行し、
前記遊技状態制御手段は、
前記抽選処理の結果が前記大賞当たりであるときは、前記大賞当たり遊技が実行されたのちの遊技状態を前記高確率状態に制御し、
前記抽選処理の結果が前記小賞当たりであるときは、前記小賞当たり遊技が実行されたのちの遊技状態を前記低確率状態に制御し、
前記抽選処理の結果が前記代替大賞当たりであるときは、前記大賞当たり遊技が実行されたのちの遊技状態を前記低確率状態に制御するものであって、
前記遊技機は、さらに、
前記第２受入口の近傍に設けられ、当該第２受入口への遊技球の受け入れが相対的に容易となる促進態様、または、当該第２受入口への遊技球の受け入れが前記促進態様よりも相対的に困難となる平時態様に制御される可動部材と、
前記低確率状態に制御されているときは前記可動部材を前記平時態様に制御することによって、前記第２受入口への遊技球の受け入れを前記第１受入口よりも相対的に抑制しうるとともに、前記高確率状態に制御されているときは前記可動部材を前記促進態様に制御することによって、前記第２受入口への遊技球の受け入れを前記第１受入口よりも相対的に促進する可動部材制御手段と、
前記複数の図柄列とは別に、少なくとも当該複数の図柄列の停止態様のみでは把握できない不利益が発生しうる場合に、遊技者に対して所定の警告を実行可能な警告実行手段と、
を備えており、
前記高確率状態に制御されているとき、
前記第１始動情報についての抽選処理にて前記小賞当たりに当選すると、多量の賞球が付与されることがなく、前記小賞当たり遊技が実行されたのちの遊技状態が前記低確率状態に制御されるとともに、
前記可動部材制御手段が前記可動部材を前記促進態様に制御することで、前記第２受入口への遊技球の受け入れを前記第１受入口への遊技球の受け入れよりも促進させて、前記第１始動情報についての抽選処理の実行頻度を抑制するのみならず、
前記第１始動情報についての抽選処理の結果が導出される場合には、少なくとも当該抽選処理の結果が前記大賞当たりおよび前記小賞当たりのいずれであるかに拘らず、前記警告実行手段が前記複数の図柄列の変動表示に際して前記小賞当たりに当選しうることを警告する
ことを特徴とする遊技機。
【請求項２】
前記表示制御手段は、
前記複数の図柄列の変動表示に際して、前記抽選処理において当選している期待度が相対的に高いことを示す演出態様である高期待演出を実行する高期待演出実行手段、
および、前記複数の図柄列の変動表示に際して、前記抽選処理において当選している期待度が相対的に低いことを示す演出態様である低期待演出を実行する低期待演出実行手段、を有しており、
遊技状態が前記高確率状態に制御されている場合、
前記高期待演出実行手段は、前記抽選処理の結果がいずれかの当選種別への当選または前記高期待演出を伴うハズレであるときに、前記高期待演出を実行するとともに、
前記低期待演出実行手段は、前記抽選処理の結果が前記低期待演出を伴うハズレであるときに、前記低期待演出を実行するものであって、
前記警告実行手段は、前記第１始動情報についての抽選処理の結果に基づいて前記高期待演出が実行されているときに、前記小賞当たりに当選しうることを警告する
請求項１に記載の遊技機。
【請求項３】
遊技状態が前記低確率状態に制御されている場合、
前記高期待演出実行手段は、前記抽選処理の結果が前記大賞当たりまたは前記高期待演出を伴うハズレであるときに、前記高期待演出を実行するとともに、
前記低期待演出実行手段は、前記抽選処理の結果が前記小賞当たり、前記代替大賞当たりおよび前記低期待演出を伴うハズレのいずれかであるときに、前記低期待演出を実行する
請求項２に記載の遊技機。
【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、
該遊技領域に設けられた複数種類の入賞口と、
該複数種類の入賞口のうち第１始動入賞口に遊技球が入球した後、第１開始条件が成立したことに基づいて遊技者に所定の利益を付与する利益付与状態に制御するか否かを判定する第１利益付与判定手段と、
前記複数種類の入賞口のうち第２始動入賞口に遊技球が入球した後、第２開始条件が成立したことに基づいて遊技者に所定の利益を付与する利益付与状態に制御するか否かを判定する第２利益付与判定手段と、
前記第１利益付与判定手段による判定がなされたことに基づいて複数種類の図柄情報を変動表示して所定の表示結果を導出表示する第１表示手段と、
前記第２利益付与判定手段による判定がなされたことに基づいて複数種類の図柄情報を変動表示して所定の表示結果を導出表示する第２表示手段と、
前記遊技領域に設けられ、遊技球を受け入れ可能な開放状態と遊技球を受け入れ困難な閉塞状態とに変化可能な大入賞口開閉手段と、を備え、
前記第１利益付与判定手段により前記利益付与状態に制御すると判定されたことに基づいて前記第１表示手段に特定表示結果を導出表示し、前記第２利益付与判定手段により前記利益付与状態に制御すると判定されたことに基づいて前記第２表示手段に特定表示結果を導出表示し、前記大入賞口開閉手段を前記開放状態に変化させて前記利益付与状態に制御する遊技機であって、
前記第１利益付与判定手段によって前記利益付与状態に制御すると判定されたとき、前記付与される利益が異なる第１群の利益付与状態のうちいずれかの利益付与状態に決定する第１利益価値決定手段と、
前記第２利益付与判定手段によって前記利益付与状態に制御すると判定されたとき、前記第１群の利益付与状態よりも遊技者に付与される利益価値が高い第２群の利益付与状態のうちいずれかの利益付与状態に決定する第２利益価値決定手段と、  
前記第２始動入賞口への遊技球の入球を容易にする第１状態と前記第２始動入賞口への遊技球の入球を困難にする第２状態とに変化可能な可動部材と、
所定条件が成立したことに基づいて前記可動部材を前記第１状態に変化させるか否かを判定する可動判定手段と、
該可動判定手段によって前記可動部材を前記第１状態に変化させると判定されたことに基づいて前記可動部材を所定期間に亘って前記第１状態に変化させた後に前記第２状態に変化させる可動制御手段と、
前記第１始動入賞口に入球した遊技球のうち未だ前記第１開始条件が成立していない第１保留数を、予め決められた上限数まで記憶する第１保留数記憶手段と、
前記第２始動入賞口に入球した遊技球のうち未だ前記第２開始条件が成立していない第２保留数を、予め決められた上限数まで記憶する第２保留数記憶手段と、
前記第１保留数記憶手段に記憶されている第１保留数及び前記第２保留数記憶手段に記憶されている第２保留数に基づいて保留数表示手段を制御する保留数表示制御手段と、
前記第２保留数記憶手段に前記第２保留数を記憶しているときには、その旨を通知する通知手段と、を備えることを特徴とする遊技機。
【請求項２】
前記保留数表示手段は、複数の表示部を有し、
前記保留数表示制御手段は、前記第１始動入賞口若しくは前記第２始動入賞口への遊技球の入球の発生順序に対応して前記複数の表示部を所定の順序で特定可能に表示制御し、前記複数の表示部のうち特定可能に表示させる表示部の増減によって前記第１保留数と前記第２保留数とを合算した全保留数を特定可能とするバロメータ表示し、
前記通知手段は、
前記複数の表示部のうち前記第１始動入賞口への遊技球の入球に基づく第１保留数に対応する表示部を通常保留態様で表示し、
前記複数の表示部のうち前記第２始動入賞口への遊技球の入球に基づく第２保留数に対応する表示部を特別保留態様で表示することを特徴とする請求項１記載の遊技機。
【請求項３】
前記保留数表示手段は、前記全保留数の上限数よりも少ない第１個数の表示部を有し、
前記保留数表示制御手段は、前記全保留数が前記第１個数以上であるとき、前記保留数表示手段の前記第１個数に対応して表示制御される表示部に、前記全保留数を更新表示することによって前記全保留数を特定可能とするカウント表示し、
前記通知手段は、前記全保留数が前記第１個数以上であるとき、前記第２保留数記憶手段に前記第１個数以降の前記遊技球の入球の発生順序に基づく前記第２保留数が記憶されている場合には前記保留数表示制御手段により前記保留数表示手段の前記第１個数に対応して表示制御される表示部を前記特別保留態様で表示し、前記第２保留数記憶手段に前記第１個数以降の前記遊技球の入球の発生順序に基づく前記第２保留数が記憶されていない場合には前記保留数表示制御手段により前記保留数表示手段の前記第１個数に対応して表示制御される表示部を前記通常保留態様で表示することを特徴とする請求項２記載の遊技機。
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
晶析対象物の溶液を晶析槽内に導くとともに、前記晶析槽内において槽内液中に気体の局所分布を生成し、その気体の局所分布による槽内溶液の対流により、前記溶液及び前記晶析槽内の滞留溶液と結晶の攪拌効果を与えることを特徴とするガスリフト晶析方法。
【請求項２】
晶析対象物の溶液を晶析槽内に導くとともに、前記晶析槽内において気体の上昇による前記溶液の対流を生じさせ、その溶液の対流により、前記溶液及び前記晶析槽内の滞留溶液と結晶の撹拌を行うことを特徴とするガスリフト式晶析方法。
【請求項３】
予め前記気体を前記溶液に溶解せしめ、前記晶析槽内への前記溶液の供給の際にその溶解度を低下せしめて、溶存気体の気化を図り、前記溶液及び前記晶析槽内の滞留溶液と結晶の対流を発生させる請求項１または２記載のガスリフト式晶析方法。
【請求項４】
前記晶析槽内を断熱及び減圧状態とすることによって前記溶液中の前記溶存気体を気化させ、その生じた気体によって前記撹拌を行い、かつ、前記気化によって前記晶析槽内の前記溶液の断熱冷却を図る請求項３記載のガスリフト式晶析方法。
【請求項５】
気体を加圧手段により加圧し、前記気体を前記溶液に溶解せしめ、前記晶析槽内への前記溶液を供給するとともに、前記晶析槽で発生した気体を前記加圧手段により加圧する循環経路を構成した請求項３記載のガスリフト式晶析方法。
【請求項６】
晶析対象物がパラキシレンを含む混合キシレンであり、これからパラキシレンの結晶を得る請求項１〜５のいずれか１項に記載のガスリフト式晶析方法。
【請求項７】
晶析対象物がシクロヘキサンを含む混合ヘキサンであり、これからシクロヘキサンの結晶を得る請求項１〜５のいずれか１項に記載のガスリフト式晶析方法。
【請求項８】
晶析対象物の溶液に気体を溶存させる溶存手段と、晶析槽内に設けた仕切あるいはドラフトチューブと、前記仕切あるいはドラフトチューブの下部領域における横断面の一部に、気体が溶存した前記溶液を供給する手段と、この供給した前記溶液から溶存気体を気体として発生させる手段とを有し、
前記発生した気体は前記仕切あるいはドラフトチューブに沿って上昇するようにしたことを特徴とするガスリフト式結晶装置。
【請求項９】
前記溶液を前記晶析槽内に供給する前段に、前記溶存気体の溶解度を調整する溶解度調整槽を有する請求項８記載のガスリフト式結晶装置。
【請求項１０】
前記気体を加圧して前記溶液に溶解させる溶解手段と、前記晶析槽で発生した気体を前記溶解手段に送る循環経路を構成した請求項８または９記載のガスリフト式晶析装置。
【手続補正２】
【補正対象書類名】明細書
【補正対象項目名】０００４
【補正方法】変更
【補正の内容】
【０００４】
上記課題を解決した発明は次記の通りである。
＜請求項１記載の発明＞
晶析対象物の溶液を晶析槽内に導くとともに、前記晶析槽内において槽内液中に気体の局所分布を生成し、その気体の局所分布による槽内溶液の対流により、前記溶液及び前記晶析槽内の滞留溶液と結晶の攪拌効果を与えることを特徴とするガスリフト晶析方法。
【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
衣類等のシワを伸ばすため下面に配置されるかけ面と内部に配置され通電されて前記かけ面を加熱するヒータとを有するアイロンであって、
前記かけ面は、後端縁が舳先状の尖った形状を有する
ことを特徴とするアイロン。
【請求項２】
前記かけ面の後端縁は、尖った形状の舳先部と該舳先部から前方両側方に延在し前方にいくに従い次第に互いの間隔の幅寸法が大きくなる両後側端縁とを有する
ことを特徴とする請求項１に記載のアイロン。
【請求項３】
前記かけ面は、平らな面として形成される
ことを特徴とする請求項１または請求項２に記載のアイロン。
【請求項４】
前記かけ面は、前端縁が尖った舳先状の形状を有する
ことを特徴とする請求項１から請求項３の何れか一項に記載のアイロン。
【請求項５】
前記かけ面の前端縁は、尖った形状の前先端縁と該前先端縁から後方両側方に延在し後方にいくに従い次第に互いの間隔の幅寸法が大きくなる両前側端縁とを有する
ことを特徴とする請求項４に記載のアイロン。
【請求項６】
前記かけ面は、前後方向に垂直な方向である側方向において、最も側方にそれぞれ延在する各最側方先端縁から、前記前先端縁と前記後端縁の舳先部とを結ぶ線に近づくに従い、前記前後方向の寸法が大きくなる
ことを特徴とする請求項４または請求項５に記載のアイロン。
【手続補正２】
【補正対象書類名】明細書
【補正対象項目名】０００９
【補正方法】変更
【補正の内容】
【０００９】
上記目的を達成するべく、本発明の請求項１に関わるアイロンは、衣類等のシワを伸ばすため下面に配置されるかけ面と内部に配置され通電されてかけ面を加熱するヒータとを有するアイロンであって、かけ面は後端縁が舳先状の尖った形状を有している。
そのため、アイロンを後方に戻す際に、後端縁が舳先状の尖った形状が衣類等のシワをかき分けて進み、衣類等のシワを巻き込むことがない。
本発明の請求項２に関わるアイロンは、請求項１に記載のアイロンにおいて、かけ面の後端縁は、尖った形状の舳先部と該舳先部から前方両側方に延在し前方にいくに従い次第に互いの間隔の幅寸法が大きくなる両後側端縁とを有している。
そのため、アイロンを後方に戻す際に、衣類等との接触面積の関係から摩擦力が尖った形状の舳先部から徐々に増加する。
【手続補正３】
【補正対象書類名】明細書
【補正対象項目名】００１０
【補正方法】変更
【補正の内容】
【００１０】
本発明の請求項３に関わるアイロンは、請求項１または請求項２に記載のアイロンにおいて、かけ面は、平らな面として形成されている。
そのため、アイロンがけに際し、かけ面全面を衣類等に当てることができる。
本発明の請求項４に関わるアイロンは、請求項１から請求項３の何れか一項に記載のアイロンにおいて、かけ面は、前端縁が尖った舳先状の形状を有している。
【手続補正４】
【補正対象書類名】明細書
【補正対象項目名】００１１
【補正方法】変更
【補正の内容】
【００１１】
本発明の請求項５に関わるアイロンは、請求項４に記載のアイロンにおいて、かけ面の前端縁は、尖った形状の前先端縁と該前先端縁から後方両側方に延在し後方にいくに従い次第に互いの間隔の幅寸法が大きくなる両前側端縁とを有している。
本発明の請求項６に関わるアイロンは、請求項４または請求項５に記載のアイロンにおいて、かけ面は、前後方向に垂直な方向である側方向において、最も側方にそれぞれ延在する各最側方先端縁から、前先端縁と後端縁の舳先部とを結ぶ線に近づくに従い、前後方向の寸法が大きくなる。
【手続補正５】
【補正対象書類名】明細書
【補正対象項目名】００２８
【補正方法】変更
【補正の内容】
【００２８】
１      アイロン(アイロン本体)
２      かけ面
２ａ    前先端縁(前端縁)
２b1、２b2  前側端縁(前端縁、最側方先端縁)
２ｄ    後先端縁(請求項１の舳先状の尖った形状、舳先部、後端縁)
２e1、２e2  後側端縁(後端縁)
【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
塩素イオン溶液を無隔膜法で電解し、電解液を希釈水で希釈して殺菌剤を調製する装置において、電極保持枠と、平板の電極板のうち、最外側に配設された２枚の電極板とにより前記電解液を前記希釈水から分離するための電解槽と、
前記電解槽を収容し、前記希釈水が前記最外側の電極板に接触して流れるように前記電解槽を前記希釈水に浸漬する外筐体と
を備え、前記最外側の２枚の電極板の非電解面が希釈水により冷却されることを特徴とする、殺菌剤製造装置。
【請求項２】
電解槽が２枚または３枚の電極板を含むことを特徴とする請求項１記載の殺菌剤製造装置。
【請求項３】
前記電解槽は、
前記電解槽に接続された塩素イオン溶液を供給する管路と、
前記電解液を排出する排出口と
を備え、前記排出口が、前記希釈水の流路中に開口していることを特徴とする請求項１
乃至請求項２記載の殺菌剤製造装置。
【請求項４】
塩素イオン溶液が希塩酸であることを特徴とする請求項１乃至請求項３記載の、殺菌剤製造装置。
【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
液体を吐出する複数のヘッドと、
前記それぞれのヘッドを駆動するための駆動信号をそれぞれ生成する駆動信号生成部と、
前記それぞれのヘッドでの前記液体の温度に応じて前記それぞれのヘッドに対応する前記駆動信号を変更する手段と、
を有する液体吐出装置において、
前記液体を加熱するヒータを設けた前記液体の共通供給路と、
前記共通供給路から分岐し前記それぞれのヘッドに前記液体を供給する複数の枝供給路と、
前記それぞれのヘッドに設けられた温度センサと、を備え、
前記駆動信号変更手段は前記温度センサで検出された温度に応じて前記それぞれのヘッドに対応する駆動信号を変更するものであることを特徴とする液体吐出装置。
【請求項２】
液体を吐出する複数のヘッドと、
前記それぞれのヘッドを駆動するための駆動信号をそれぞれ生成する駆動信号生成部と、
前記それぞれのヘッドでの前記液体の温度に応じて前記それぞれのヘッドに対応する前記駆動信号を変更する手段と、
を有する液体吐出装置において、
前記液体の共通供給路と、
前記共通供給路から分岐し前記それぞれのヘッドに前記液体を供給する複数の枝供給路と、を備え、
前記共通供給路は前記液体を加熱するヒータが前記複数の枝供給路との分岐点近くに設けられており、
前記駆動信号変更手段は、前記それぞれのヘッドから吐出された前記液体の量と前記それぞれの枝供給路の長さから前記ヒータ設置部から前記それぞれのヘッドに至る前記液体の到達時間を算出することにより前記それぞれのヘッドの前記液体の温度を算出し、前記算出温度に応じて前記それぞれのヘッドに対応する駆動信号を変更するものであることを特徴とする液体吐出装置。
【請求項３】
液体を吐出する複数のヘッドと、
前記それぞれのヘッドを駆動するための駆動信号をそれぞれ生成する駆動信号生成部と、
前記それぞれのヘッドでの前記液体の温度に応じて前記それぞれのヘッドに対応する前記駆動信号を変更する手段と、
を有する液体吐出装置において、
前記液体の共通供給路と、
前記共通供給路から分岐し前記それぞれのヘッドに前記液体を供給する複数の枝供給路と、を備え、
前記共通供給路は前記液体を加熱するヒータが前記複数の枝供給路との分岐点と所定の距離を置いて設けられており、
前記駆動信号変更手段は、前記それぞれのヘッドから吐出された前記液体の量と前記それぞれの枝供給路の長さから前記分岐点から前記それぞれのヘッドに至る前記液体の到達時間を算出するとともに、前記複数の枝供給路を流れた前記液体の総量から前記ヒータ設置部から前記分岐点に至る前記液体の到達時間を算出することにより、前記それぞれのヘッドの前記液体の温度を算出し、前記算出温度に応じて前記それぞれのヘッドに対応する駆動信号を変更するものであることを特徴とする液体吐出装置。
【手続補正２】
【補正対象書類名】明細書
【補正対象項目名】発明の名称
【補正方法】変更
【補正の内容】
【発明の名称】液体吐出装置
【手続補正３】
【補正対象書類名】明細書
【補正対象項目名】０００５
【補正方法】変更
【補正の内容】
【０００５】
上記目的を達成するための主たる第１の発明は、液体を吐出する複数のヘッドと、前記それぞれのヘッドを駆動するための駆動信号をそれぞれ生成する駆動信号生成部と、前記それぞれのヘッドでの前記液体の温度に応じて前記それぞれのヘッドに対応する前記駆動信号を変更する手段と、を有する液体吐出装置において、前記液体を加熱するヒータを設けた前記液体の共通供給路と、前記共通供給路から分岐し前記それぞれのヘッドに前記液体を供給する複数の枝供給路と、前記それぞれのヘッドに設けられた温度センサと、を備え、前記駆動信号変更手段は前記温度センサで検出された温度に応じて前記それぞれのヘッドに対応する駆動信号を変更するものであることを特徴とする液体吐出装置である。
また、上記目的を達成するための主たる第２の発明は、液体を吐出する複数のヘッドと、前記それぞれのヘッドを駆動するための駆動信号をそれぞれ生成する駆動信号生成部と、前記それぞれのヘッドでの前記液体の温度に応じて前記それぞれのヘッドに対応する前記駆動信号を変更する手段と、を有する液体吐出装置において、前記液体の共通供給路と、前記共通供給路から分岐し前記それぞれのヘッドに前記液体を供給する複数の枝供給路と、を備え、前記共通供給路は前記液体を加熱するヒータが前記複数の枝供給路との分岐点近くに設けられており、前記駆動信号変更手段は、前記それぞれのヘッドから吐出された前記液体の量と前記それぞれの枝供給路の長さから前記ヒータ設置部から前記それぞれのヘッドに至る前記液体の到達時間を算出することにより前記それぞれのヘッドの前記液体の温度を算出し、前記算出温度に応じて前記それぞれのヘッドに対応する駆動信号を変更するものであることを特徴とする液体吐出装置である。
また、上記目的を達成するための主たる第３の発明は、液体を吐出する複数のヘッドと、前記それぞれのヘッドを駆動するための駆動信号をそれぞれ生成する駆動信号生成部と、前記それぞれのヘッドでの前記液体の温度に応じて前記それぞれのヘッドに対応する前記駆動信号を変更する手段と、を有する液体吐出装置において、前記液体の共通供給路と、前記共通供給路から分岐し前記それぞれのヘッドに前記液体を供給する複数の枝供給路と、を備え、前記共通供給路は前記液体を加熱するヒータが前記複数の枝供給路との分岐点と所定の距離を置いて設けられており、前記駆動信号変更手段は、前記それぞれのヘッドから吐出された前記液体の量と前記それぞれの枝供給路の長さから前記分岐点から前記それぞれのヘッドに至る前記液体の到達時間を算出するとともに、前記複数の枝供給路を流れた前記液体の総量から前記ヒータ設置部から前記分岐点に至る前記液体の到達時間を算出することにより、前記それぞれのヘッドの前記液体の温度を算出し、前記算出温度に応じて前記それぞれのヘッドに対応する駆動信号を変更するものであることを特徴とする液体吐出装置である。
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
本体と、
該本体に取り付けられた開閉するカバーと、
該カバーが開かれると、長尺のライナーレスラベルがロール状に巻されたラベルロールを装填可能なロール装填部と、
前記カバーが閉じられると、前記ラベルロールから引き剥がされた前記ライナーレスラベルが誘導される前記ロール装填部に臨むラベル引込口と、
前記ラベル引込口の近傍に設けられたロール案内部材と、
を備えることを特徴とするラベルプリンタ。
【請求項２】
前記引込口からレベル排出口に前記ライナーレスラベルを誘導するラベル搬送路の途中で、前記ライナーレスラベルに印字を行う印字ヘッドと、
当該印字ヘッドに対し前記ライナーレスラベルを挟持しながら搬送するプラテンと、
を更に備え、
前記プラテンにより前記ライナーレスラベルが前記ラベル引込口に搬送される力が、前記ロール案内部材による前記ラベルロールの搬送負荷よりも大きいことを特徴とするラベルプリンタ。
【請求項３】
前記ロール案内部材は、前記ラベルロールから引き剥がされたライナーレスラベルの起
点を挟む前記ラベルロールの外周の少なくとも２箇所に、前記ラベル引込口から前記ロー
ル装填部に向かって離間した位置で当接することにより、前記ラベルロールの外周位置を前記ラベル引込口から所定距離だけ離間した位置に規制することを特徴とする請求項１に記載のラベルプリンタ。
【請求項４】
前記ロール案内部材の一方は前記本体側に、他方は前記カバー側に取り付けられている
ことを特徴とする請求項３に記載のラベルプリンタ。
【請求項５】
前記ロール案内部材は、前記ラベルロールの外周に回転自在に接触するガイドローラであることを特徴とする請求項３または４に記載のラベルプリンタ。
【請求項６】
前記ロール装填部に、前記ラベルロールの外周に回転自在に接触する少なくとも一つの
ガイドローラを有することを特徴とする請求項５に記載のラベルプリンタ。 
【手続補正２】
【補正対象書類名】明細書
【補正対象項目名】００１４
【補正方法】変更
【補正の内容】
【００１４】
上記課題を解決することのできる本発明のラベルプリンタは、本体と、該本体に取り付けられた開閉するカバーと、該カバーが開かれると、長尺のライナーレスラベルがロール状に巻されたラベルロールを装填可能なロール装填部と、前記カバーが閉じられると、前記ラベルロールから引き剥がされた前記ライナーレスラベルが誘導される前記ロール装填部に臨むラベル引込口と、前記ラベル引込口の近傍に設けられたロール案内部材と、を備えることを特徴とする。
また、本発明において、前記引込口からレベル排出口に前記ライナーレスラベルを誘導するラベル搬送路の途中で、前記ライナーレスラベルに印字を行う印字ヘッドと、当該印字ヘッドに対し前記ライナーレスラベルを挟持しながら搬送するプラテンと、を更に備え、
前記プラテンにより前記ライナーレスラベルが前記ラベル引込口に搬送される力が、前記ロール案内部材による前記ラベルロールの搬送負荷よりも大きいことを特徴とする。
【手続補正３】
【補正対象書類名】明細書
【補正対象項目名】００１６
【補正方法】変更
【補正の内容】
【００１６】
また、本発明において、前記ロール案内部材は、前記ラベルロールから引き剥がされたライナーレスラベルの起点を挟む前記ラベルロールの外周の少なくとも２箇所に、前記ラベル引込口から前記ロール装填部に向かって離間した位置で当接することにより、前記ラベルロールの外周位置を前記ラベル引込口から所定距離だけ離間した位置に規制することを特徴とする。 
【手続補正４】
【補正対象書類名】明細書
【補正対象項目名】００１８
【補正方法】変更
【補正の内容】
【００１８】
また、本発明において、前記ロール案内部材の一方は前記本体側に、他方は前記カバー側に取り付けられていることを特徴とする。 
【手続補正５】
【補正対象書類名】明細書
【補正対象項目名】００２０
【補正方法】変更
【補正の内容】
【００２０】
前記ロール案内部材は、前記ラベルロールの外周に回転自在に接触するガイドローラであることを特徴とする。
【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
少なくとも１つの可撓性壁を有するベロー状の可変容積ポンピング・チャンバ（３０）に接続された、流体製品用の少なくとも１つの入口ダクト（３３）および１つの出口ダクト（３４）を含む流体分配機械用の分配ユニットであって、前記ポンピング・チャンバ（３０）が最大容積を有し前記流体製品により充填されているゼロ位置から前記ポンピング・チャンバ（３０）が最小容積を有する限界位置まで前記ポンピング・チャンバ（３０）を選択的に移動させるためにアクチュエータ手段が設けられ、該アクチュエータ手段が、ステッパ・モータ（２０）およびリニア・アクチュエータ（２１、２３、２７、２８）を含み、選択的遮断手段（３７、３８、３９）が前記入口ダクトおよび前記出口ダクト（３３、３４）中に配列されて、前記可撓性壁面が前記ゼロ位置に向かって移動するときに前記流体製品が前記ポンピング・チャンバ（３０）に流入し、前記可撓壁面が前記限界位置に向かって移動するときに流体製品が前記ポンピング・チャンバ（３０）から流出するようになっている分配ユニットにおいて、
前記遮断手段（３７、３８、３９）が、前記入口ダクト（３３）および前記出口ダクト（３４）中にそれぞれ逆向きに取り付けられた２つの逆止め弁を含み、
前記ポンピング・チャンバ（３０）が前記ゼロ位置にあるときに、前記リニア・アクチュエータ（２１、２３、２７、２８）を検出する光学センサ（４０）を含み、
前記ステッパ・モータ（２０）が、前記ポンピング・チャンバ（３０）を前記ゼロ位置から前記限界位置に向かって第一速度で移動させ、かつ前記第一速度よりも大きい第二速度で前記限界位置から前記ゼロ位置に向かって移動させて再充填する時間を低減させ、それにより分配ユニットの全体的生産性を向上させるようになっていることを特徴とする分配ユニット。
【請求項２】
前記リニア・アクチュエータが、前記ポンピング・チャンバ（３０）の前記可撓性壁の基部に固定されたキャリッジ（２８）を有し、該キャリッジ（２８）が、前記ステップモータ（２０）が下に設けられた基部支持体（１９）に固定された案内棒（２９）に沿って滑動可能であることを特徴とする、請求項１に記載の分配ユニット。
【請求項３】
前記光学センサ（４０）は、前記キャリッジ（２８）が工程の下端に到着して前記ポンピング・チャンバ（３０）が前記限界位置にあることを検出するために、前記基部支持体（１９）上にとりつけられることを特徴とする、請求項２に記載の分配ユニット。
【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
貫入ロッドに所定回数の打撃を加え、その貫入量から地盤性状を判定する打撃貫入試験方法において、
１打撃毎の貫入量を検出して蓄積し、この蓄積された検出データに基づいて地盤性状を判定することを特徴とする打撃貫入試験方法。
【請求項２】
１打撃毎の貫入量の変動から地盤性状を判定することを特徴とする請求項１に記載の打撃貫入試験方法。
【請求項３】
ハンマを昇降可能に案内する打撃ユニットと、
このハンマによる打撃を受けて地中に貫入する貫入ロッドと、
前記ハンマによる１打撃毎の貫入ロッドの貫入量を検出する貫入量検出手段と、
この貫入量検出手段により検出された１打撃毎の貫入量を蓄積し、この蓄積された検出データに基づいて地盤性状を判定する制御ユニットと
を備えることを特徴とする打撃貫入試験装置。
【請求項４】
ハンマを昇降可能に案内する打撃ユニットと、
このハンマによる打撃を受けて地中に貫入する貫入ロッドと、
この貫入ロッドを支持する昇降台と、
この昇降台に所定の荷重を付与する荷重変更手段と、
前記ハンマによる１打撃毎の貫入ロッドの貫入量を検出する貫入量検出手段と、
この貫入量検出手段により検出された１打撃毎の貫入量に応じて前記貫前記荷重変更手段および前記打撃ユニットの作動を制御する制御ユニットと
を備えることを特徴とする打撃貫入試験装置。
【請求項５】
前記制御ユニットが、前記貫入量検出手段により検出された１打撃の貫入量が予め設定された最小貫入量に満たない場合、前記打撃ユニットによる打撃を休止することを特徴とする請求項４に記載の打撃貫入試験装置。
【請求項６】
前記制御ユニットが、前記貫入量検出手段により検出された１打撃の貫入量が予め設定された最大貫入量を超える場合、前記打撃ユニットによる打撃を一旦休止するとともに、前記貫入ロッドに付与される荷重を減ずるべく前記荷重変更手段を制御することを特徴とする請求項５または請求項６に記載の打撃貫入試験装置。
【請求項７】
前記制御ユニットが、１打撃毎の貫入量を表示する表示部を備えることを特徴とする請求項４ないし請求項６の何れかに記載の打撃貫入試験装置。
【手続補正２】
【補正対象書類名】明細書
【補正対象項目名】発明の名称
【補正方法】変更
【補正の内容】
【発明の名称】打撃貫入試験方法および打撃貫入試験装置
【手続補正３】
【補正対象書類名】明細書
【補正対象項目名】０００１
【補正方法】変更
【補正の内容】
【０００１】
本発明は、ロッドを打撃して地中に貫入し、そのポイントの地層構造や地盤強度を調査する打撃貫入試験方法および打撃貫入試験装置に関する。
【手続補正４】
【補正対象書類名】明細書
【補正対象項目名】０００７
【補正方法】変更
【補正の内容】
【０００７】
前記課題を解決することを目的として、本発明の打撃貫入試験方法は、貫入ロッドに所定回数の打撃を加え、その貫入量から地盤性状を判定する打撃貫入試験方法において、１打撃毎の貫入量を検出して蓄積し、この蓄積された検出データに基づいて地盤性状を判定することを特徴とする。なお、１打撃毎の貫入量の変動から地盤性状を判定することが望ましい。
【手続補正５】
【補正対象書類名】明細書
【補正対象項目名】０００８
【補正方法】変更
【補正の内容】
【０００８】
前記課題を解決することを目的として、本発明の打撃貫入試験装置は、ハンマを昇降可能に案内する打撃ユニットと、このハンマによる打撃を受けて地中に貫入する貫入ロッドと、前記ハンマによる１打撃毎の貫入ロッドの貫入量を検出する貫入量検出手段と、この貫入量検出手段により検出された１打撃毎の貫入量を蓄積し、この蓄積された検出データに基づいて地盤性状を判定する制御ユニットとを備えることを特徴とする。
【手続補正６】
【補正対象書類名】明細書
【補正対象項目名】０００９
【補正方法】変更
【補正の内容】
【０００９】
前記課題を解決することを目的として、本発明の打撃貫入試験装置は、ハンマを昇降可能に案内する打撃ユニットと、このハンマによる打撃を受けて地中に貫入する貫入ロッドと、この貫入ロッドを支持する昇降台と、この昇降台に所定の荷重を付与する荷重変更手段と、前記ハンマによる１打撃毎の貫入ロッドの貫入量を検出する貫入量検出手段と、この貫入量検出手段により検出された１打撃毎の貫入量に応じて前記貫前記荷重変更手段および前記打撃ユニットの作動を制御する制御ユニットとを備えることを特徴とする。
【手続補正７】
【補正対象書類名】明細書
【補正対象項目名】００１０
【補正方法】変更
【補正の内容】
【００１０】
また、前記制御ユニットが、前記貫入量検出手段により検出された１打撃の貫入量が予め設定された最小貫入量に満たない場合、前記打撃ユニットによる打撃を休止することが望ましい。あるいは、前記制御ユニットが、前記貫入量検出手段により検出された１打撃の貫入量が予め設定された最大貫入量を超える場合、前記打撃ユニットによる打撃を一旦休止するとともに、前記貫入ロッドに付与される荷重を減ずるべく前記荷重変更手段を制御することが望ましい。
【手続補正８】
【補正対象書類名】明細書
【補正対象項目名】００１１
【補正方法】変更
【補正の内容】
【００１１】
前記制御ユニットが、１打撃毎の貫入量を表示する表示部を備えることが望ましい。